(57)【要約】      （修正有）【課題】構造が簡単且つ合理的になると共に、操作性やフィットネス効果が得られ、良品質および低価格が実現されるダイエット機器を提供する。【解決手段】ダイエット機器は、Ｕ型構造の左右アームパイプ３、５および左右アームパイプ３、５の両端に対応してそれぞれ接続される弾力開合構造から成る。弾力開合構造は、内関節蓋４５、外関節蓋４３およびネジリバネ４２を含み、内外関節蓋４５、４３上には、対応する関節蓋の中空部分を貫通する左右接続ブッシング４１、４４が固定接続される。さらに、外関節蓋４３は、内関節蓋４５上に接続軸４７を通じて回転可能に設置され、ネジリバネ４２は、接続軸４７に外嵌して、その一端は左接続ブッシング４１の中に、他の一端は右接続ブッシング４４の中に、それぞれ設置され、左右接続ブッシング４１、４４は、対応する左右アームパイプ３、５上に固定される。【選択図】図２
0003171508.tif 000002
【実用新案登録請求の範囲】
【請求項１】
Ｕ型構造の左アームパイプ（３）および右アームパイプ（５）と、前記左アームパイプ（３）および前記右アームパイプ（５）の両端に対応してそれぞれ接続される弾力開合構造（４）とを含み、
前記弾力開合構造（４）は、内関節蓋（４５）、外関節蓋（４３）およびネジリバネ（４２）を含み、
前記内関節蓋（４５）および前記外関節蓋（４３）上には、対応する関節蓋の中空部分を貫通する左接続ブッシング（４１）および右接続ブッシング（４４）が固定され、
前記外関節蓋（４３）は、前記内関節蓋（４５）上に、接続軸（４７）を通じて回転可能に設置され、
前記ネジリバネ（４２）は、前記接続軸（４７）に外嵌して、その一端は前記左接続ブッシング（４１）の中に、他の一端は前記右接続ブッシング（４４）の中に、それぞれ設置され、
前記左アームパイプ（３）および前記右アームパイプ（５）は、対応する前記左接続ブッシング（４１）および前記右接続ブッシング（４４）の中に挿し込まれる
ことを特徴とするダイエット機器。
【請求項２】
請求項１に記載のダイエット機器において、前記左接続ブッシング（４１）および前記右接続ブッシング（４４）上には、それぞれ、ピンタンブラーロック（４６）が設置され、前記左アームパイプ（３）および前記右アームパイプ（５）上には、前記ピンタンブラーロック（４６）に対応するピンホール（５１）が設置されることを特徴とするダイエット機器。
【請求項３】
請求項１又は請求項２に記載のダイエット機器において、前記左アームパイプ（３）および前記右アームパイプ（５）上には、それぞれ、ゴム・スポンジジャケット（１）が被覆されることを特徴とするダイエット機器。
【請求項４】
請求項３に記載のダイエット機器において、前記左アームパイプ（３）上には、テンションバンド（２）が設置されることを特徴とするダイエット機器。
【請求項５】
Ｕ型構造の左アームパイプ（３）および右アームパイプ（５）と、前記左アームパイプ（３）および前記右アームパイプ（５）の両端に対応してそれぞれ接続される弾力開合構造（４）とを含み、
前記弾力開合構造（４）は、内関節蓋（４５）、外関節蓋（４３）およびネジリバネ（４２）を含み、
前記内関節蓋（４５）および前記外関節蓋（４３）上には、対応する関節蓋の中空部分を貫通する左接続ブッシング（４１）および右接続ブッシング（４４）が固定接続され、
前記外関節蓋（４３）は、前記内関節蓋（４５）上に、接続軸（４７）を通じて回転可能に設置され、
前記ネジリバネ（４２）は、前記接続軸（４７）に外嵌して、その一端は前記左接続ブッシング（４１）の中に、他の一端は前記右接続ブッシング（４４）の中に、それぞれ設置され、
前記左接続ブッシング（４１）および前記右接続ブッシング（４４）は、対応する前記左アームパイプ（３）および前記右アームパイプ（５）上に固定される
ことを特徴とするダイエット機器。
【請求項６】
請求項５に記載のダイエット機器において、
前記左接続ブッシング（４１）および前記右接続ブッシング（４１、４４）は、中空パイプからなり、ネジ（４８）により、対応する前記内関節蓋（４５）および前記外関節蓋（４３）に固定接続され、
前記ネジリバネ（４２）と対応する前記左接続ブッシング（４１）および前記右接続ブッシング（４４）上には、一体に接続されるネジリバネブッシング（６）が設置され、
前記ネジリバネ（４２）の接続端は、対応する前記ネジリバネブッシング（６）上に設置され、
前記左接続ブッシング（４１）および前記右接続ブッシング（４４）上には、それぞれ、ピンタンブラーロック（４６）が設置され、
前記左アームパイプおよび前記右アームパイプ（５）上には、前記ピンタンブラーロック（４６）に対応するピンホール（５１）が設置され、
前記左接続ブッシング（４１）および前記右接続ブッシング（４４）は、前記ピンタンブラーロック（４６）と前記ピンホール（５１）とのマッチングにより、対応する前記左アームパイプおよび前記右アームパイプ（５）に固定接続される
ことを特徴とするダイエット機器。
【請求項７】
請求項５に記載のダイエット機器において、
前記左接続ブッシング（４１）および前記右接続ブッシング（４４）は、ソリッドパイプからなり、ネジ（４８）により、対応する前記内関節蓋（４５）および前記外関節蓋（４３）に固定接続され、
前記ネジリバネ（４２）と対応する前記左接続ブッシング（４１）および前記右接続ブッシング（４４）の端面には、ネジリバネ挿し穴が設置され、
前記ネジリバネ（４２）の接続端は、対応する前記ネジリバネ挿し穴の中に設置され、
前記左接続ブッシング（４１）および前記右接続ブッシング（４４）の他の一端は、前記ネジ（４８）により、対応する前記左アームパイプ（３）および前記右アームパイプ（５）に固定接続される
ことを特徴とするダイエット機器。
【請求項８】
請求項６又は請求項７に記載のダイエット機器において、前記左接続ブッシング（４１）および前記右接続ブッシング（４４）上には、前記内関節蓋（４５）および前記外関節蓋（４３）に対応する位置決め溝（４９）が設置されることを特徴とするダイエット機器。
【請求項９】
請求項８に記載のダイエット機器において、前記左アームパイプ（３）および前記右アームパイプ（５）上には、それぞれ、ゴム・スポンジジャケット（１）が被覆されることを特徴とするダイエット機器。
【請求項１０】
請求項９に記載のダイエット機器において、前記左アームパイプ（３）上には、テンションバンド（２）が設置されることを特徴とするダイエット機器。
【考案の詳細な説明】
【技術分野】
【０００１】
本考案は、フィットネス器材に関し、特に、シンプルで実用性のある多機能フィットネス器材に関する。
【背景技術】
【０００２】
社会の発展と進歩に伴い、人々の生活の質も益々高くなっているが、半健康および肥満体の人が増える一方である。その原因は仕事が忙しい上、運動不足であることにある。それだけでなく、既存の運動施設は大抵露天の場所が多く、天気の影響が大きいため、運動を続けることがなかなか難しい。消費者たちのこのような運動のニーズを満たすために、室内フィットネス器材が現れ、種類も益々多くなっており、消費者たちの脚光を浴びている。しかし、既存のフィットネス器材には次の欠点がある。その一は、構造が煩雑で、体積が大きく、大きな空間やプロフェッショナルの指導を必要とするので、アスレチックルームなどに適用される。その二は、値段が高くて、一般家庭ではなかなか買えない。その三は、既存の簡単なフィットネス器材は機能が単一である。そのため、数多くの生産業者と有職者らは、上記問題に対する開発と試作を続けているが、理想的な製品は未だ現れていない。
【考案の概要】
【考案が解決しようとする課題】
【０００３】
本考案の目的は、既存フィットネス器材の上記の欠点を克服するために、構造が簡単で、フィットネス効果が良く、使用や携帯に便利な多機能ダイエット機器を提供することである。
【課題を解決するための手段】
【０００４】
本考案にて技術問題の解決に使われる技術ソリューションは、Ｕ型構造の左右アームパイプおよび左右アームパイプの両端に対応してそれぞれ接続される弾力開合構造を含み、弾力開合構造は、内関節蓋、外関節蓋およびネジリバネを含み、内関節蓋および外関節蓋上には、対応する関節蓋の中空部分を貫通する左接続ブッシングおよび右接続ブッシングが固定され、外関節蓋は、内関節蓋上に、接続軸を通じて回転可能に設置され、ネジリバネは、接続軸に外嵌して、その一端は左接続ブッシングの中に、他の一端は右接続ブッシングの中に、それぞれ設置され、左右アームパイプは、対応する左接続ブッシングおよび右接続ブッシングの中に挿し込まれる。
【０００５】
また、本考案にて技術問題の解決に使われる技術ソリューションは、Ｕ型構造の左右アームパイプおよび左右アームパイプの両端に対応してそれぞれ接続される弾力開合構造を含み、弾力開合構造は、内関節蓋、外関節蓋およびネジリバネを含み、内関節蓋および外関節蓋上には、対応する関節蓋の中空部分を貫通する左接続ブッシングおよび右接続ブッシングが固定され、外関節蓋は、内関節蓋上に、接続軸を通じて回転可能に設置され、ネジリバネは、接続軸に外嵌して、その一端は左接続ブッシングの中に、他の一端は右接続ブッシングの中に、それぞれ設置され、左右接続ブッシングは、対応する左右アームパイプ上に固定される。
【０００６】
包装や、輸送、携帯と格納および使用上の頑丈とを保証するために、本考案の第１種のソリューションにおいて、左右接続ブッシングは、中空パイプからなり、ネジにより、対応する内外関節蓋に固定接続され、ネジリバネと対応する左右接続ブッシング上には、一体に接続されるネジリバネブッシングが設置され、ネジリバネの接続端は、対応するネジリバネブッシング上に設置され、左右接続ブッシング上には、それぞれ、ピンタンブラーロックが設置され、左右アームパイプ上には、ピンタンブラーロックに対応するピンホールが設置され、左右接続ブッシングは、ピンタンブラーロックとピンホールとのマッチングにより、対応する左右アームパイプに固定接続される。
【０００７】
包装や、輸送、携帯と格納および使用上の頑丈とを保証するために、本考案の第２種のソリューションにおいて、左右接続ブッシングは、ソリッドパイプからなり、ネジにより、対応する内外関節蓋に固定接続され、ネジリバネと対応する左右接続ブッシングの端面には、ネジリバネ挿し穴が設置され、ネジリバネの接続端は、対応するネジリバネ挿し穴の中に設置され、左右接続ブッシングの他の一端は、ネジにより、対応する左右アームパイプに固定接続される。
【０００８】
取付の便利や、位置決めの信頼性のために、左右接続ブッシング上には内外関節蓋に対応する位置決め溝が設置される。
【０００９】
体に触れる際、より快適となるように、左右アームパイプ上には、それぞれ、ゴム・スポンジジャケットが被覆される。
【００１０】
さらに使用上の便利のために、左右アームパイプ上には、テンションバンドが設置される。
【考案の効果】
【００１１】
上記構造を使用することによって、既存技術に比べて、次のメリット又は効果が得られる。１、使用時に、左右アームパイプを体の異なる部位に接触させて裏側に押し付けることにより、開合動作が完成されるが、足や腕、腰、胸などの部位を異なる姿勢によって鍛えることが可能となり、体を鍛える効果が得られる。２、使用しない時は、左右接続ブッシング上のピンタンブラーロックを操作することにより、弾力開合構造から手軽に左右アームパイプを取り外すことができるので、包装や、輸送、携帯、格納の利便性が向上される。
【図面の簡単な説明】
【００１２】
【図１】本考案に係るダイエット機器の実施例１の正面図である。
【図２】図１に示されるダイエット機器の分解構造の斜視図である。
【図３】本考案に係るダイエット機器の実施例２の正面図である。
【図４】図３に示されるダイエット機器の第１種実施案の分解構造斜視図である。
【図５】図３に示されるダイエット機器の第２種実施案の分解構造斜視図である。
【図６】図４に示される第１種実施案の弾力開合構造を示す要部拡大図である。
【図７】図５に示される第２種実施案の弾力開合構造を示す要部拡大図である。
【実施例１】
【００１３】
図１および図２に示されているのは、本考案に係るダイエット機器の具体的な実施案の一例であり、Ｕ型構造の左右アームパイプ３、５と、それぞれの左右アームパイプ３、５の両端に対応して接続される弾力開合構造４とを含んで構成される。左右アームパイプ３、５上には、それぞれ、ゴム・スポンジジャケット１が被覆され、左アームパイプ３上には、テンションバンド２が設置されている。弾力開合構造４には、内関節蓋４５、外関節蓋４３およびネジリバネ４２が含まれる。内関節蓋４５および外関節蓋４３上には、対応する関節蓋の中空部分を貫通する左接続ブッシング４１と右接続ブッシング４４とが固定接続されており、外関節蓋４３は、内関節蓋４５上に、接続軸４７を通じて回転可能に設置されている。ネジリバネ４２は、接続軸４７に外嵌して設置され、その一端は左接続ブッシング４１の中に、他の一端は右接続ブッシング４４の中に、それぞれ設置されるが、ネジリバネ４２が押し付けられる時に、内外関節蓋４５、４３が破損しないように、左右アームパイプ３、５が、対応する左接続ブッシング４１および右接続ブッシング４４の中に挿し込まれている。左接続ブッシング４１および右接続ブッシング４４上には、それぞれ、ピンタンブラーロック４６が設置されており、左アームパイプ３および右アームパイプ５上には、ピンタンブラーロック４６に対応するピンホール５１が設置されている。
【実施例２】
【００１４】
図３、図４および図６に示されているのは、本実施例に係るダイエット機器の第１種の具体的な実施案であり、Ｕ型構造の左右アームパイプ３、５と、それぞれの左右アームパイプ３、５の両端に対応して接続される弾力開合構造４とを含んで構成される。左右アームパイプ３、５上には、それぞれ、ゴム・スポンジジャケット１が被覆され、左アームパイプ３上には、テンションバンド２が設置されている。弾力開合構造４には、内関節蓋４５、外関節蓋４３およびネジリバネ４２が含まれる。内関節蓋４５および外関節蓋４３上には、対応する関節蓋の中空部分を貫通する左接続ブッシング４１と右接続ブッシング４４とが固定接続されており、外関節蓋４３は、内関節蓋４５上に、接続軸４７を通じて回転可能に設置されている。ネジリバネ４２は、接続軸４７に外嵌して設置され、その一端は左接続ブッシング４１の中に、他の一端は右接続ブッシング４４の中に、それぞれ設置されるが、ネジリバネ４２が押し付けられる時に、内外関節蓋４５、４３が破損しないように、左右接続ブッシング４１、４４は、対応する左右アームパイプ３、５上に固定されている。
【００１５】
左右接続ブッシング４１、４４は、中空パイプからなり、ネジ４８により対応する内外関節蓋４５、４３に固定接続されている。ネジリバネ４２と対応する左右接続ブッシング４１、４４上には、一体に接続されるネジリバネブッシング６が設置されている。また、ネジリバネ４２の接続端は、対応するネジリバネブッシング６上に設置され、左右接続ブッシング４１、４４上には、それぞれ、ピンタンブラーロック４６が設置されている。左右アームパイプ３、５上には、ピンタンブラーロック４６に対応するピンホール５１が設置されており、左右接続ブッシング４１、４４が、ピンタンブラーロック４６とピンホール５１とのマッチングにより、対応する左右アームパイプ３、５に固定接続されるので、左右アームパイプ３、５の取り外しが便利になる。左右接続ブッシング４１、４４上には、取り付けの便利や位置決めの信頼性のために、内外関節蓋４５、４３に対応する位置決め溝４９が設置されている。
【００１６】
図５および図７に示されているのは、本実施例に係るダイエット機器の第２種の具体的な実施案であり、第１種の具体的な実施案と比較して、次の相違点がある。左右接続ブッシング４１、４４は、ソリッドパイプからなり、ネジリバネ４２と対応する左右接続ブッシング４１、４４の端面には、ネジリバネ挿し穴が設置されている。ネジリバネ４２の接続端は、対応するネジリバネ挿し穴の中に設置され、左右接続ブッシング４１、４４の他の一端は、ネジ４８により対応する左右アームパイプ３、５に固定接続される。また、左右接続ブッシング４１、４４も、ネジ４８により、内外関節蓋４５、４３に固定接続されている。
【図１】
0003171508.tif 000003
【図６】
0003171508.tif 000004
【図７】
0003171508.tif 000005
【図２】
0003171508.tif 000006
【図３】
0003171508.tif 000007
【図４】
0003171508.tif 000008
【図５】
0003171508.tif 000009